(57)【要約】  本発明は、溶解されたケイ酸塩が少なくとも２つの選択されたオスモライトによって安定化され、それゆえに生物学的に利用可能である、溶解されたケイ酸塩の組成物に関する。本組成物及びこの希釈液は長期間にわたって安定であり、植物、動物、及びヒトなどの生存する生物体のために広範囲の分野の用途で用いられる。【特許請求の範囲】
【請求項１】
アルカリ金属ケイ酸塩を含む、安定な水性ケイ酸塩組成物であって、
尿素及び糖アルコール及びこれらの組合せから選択される少なくとも１つの第１のオスモライト化合物と、
Ｎ−メチル化化合物から選択される少なくとも１つの第２のオスモライト化合物と、
タウリン、クレアチン、コリン−ｏ−硫酸塩、グリセロホスホリルコリン、ジグリセロール−ホスフェート、トリメチルグリシンのスルホニオ類似体、ジメチルスルホニオプロピオネート、エクトイン、ヒドロキシルエクトイン、プロリン、バリン、アスパラギン酸、イソロイシン、グリシン、アラニン、グルタメート、スクロース、ミオイノシトール、フルクトース、マルトース、トレハロース、プトレシン、スペルミジン、スペルミン、カダベリン、及びこれらの組合せ、及びこれらの塩からなる群から選択される更なる第３のオスモライト化合物と
を含むことを特徴とする、組成物。
【請求項２】
前記第１のオスモライト化合物が、グリセロール、ピニトール、ガラクチトール、タリトール、エリスリトール、トレイトール、アラビトール、キシリトール、リビトール、マンニトール、ソルビトール、ズルシトール、イジトール、マルチトール、ラクチトール、ポリグリシトール、及びこれらの組合せからなる群から選択される、請求項１に記載の組成物。
【請求項３】
前記Ｎ−メチル化化合物が、トリメチルグリシン、カルニチン、Ｎ−メチルアラニン、トリメチルアミノ酪酸、プロリン−ベタイン、サルコシン、Ｎ−メチル−グリシン、Ｎ，Ｎ−ジメチルグリシン、Ｎ−メチルアスパラギン酸、アラニン−ベタイン、ヒスチジン−ベタイン、Ｎ−メチルタウリン、コリン、コリン誘導体、トリメチルアミン−Ｎ−オキシド（ＴＭＡＯ）、及びこれらの組合せ、及びこれらの塩からなる群から選択される、請求項１から２に記載の組成物。
【請求項４】
肥料、植物保護化合物、殺虫剤、成長調整物質、アジュバント、ミネラル、殺生物剤、洗剤、乳化剤、飼料又は食品添加物、飼料又は食品サプリメント、及びこれらの組合せからなる群から選択される１つ又は複数の添加剤を更に含む、請求項１から３に記載の組成物。
【請求項５】
多価金属イオンを１０ｍＭ未満含む、請求項１から４に記載の組成物。
【請求項６】
前記組成物のｐＨが１０．８を超える、請求項１から５に記載の組成物。
【請求項７】
ケイ素濃度が０．０２Ｍから１．６Ｍケイ素である、請求項１から６に記載の組成物。
【請求項８】
前記第１のオスモライト化合物が、少なくとも１％（ｗ／ｖ）の濃度で存在する、請求項１から７に記載の組成物。
【請求項９】
総オスモライト濃度が７０％（ｗ／ｖ）未満である、請求項１から８に記載の組成物。
【請求項１０】
少なくとも１つの担体に会合している、請求項１から９に記載の組成物。
【請求項１１】
請求項１から１０に記載の安定な水性ケイ酸塩組成物を少なくとも１００倍希釈することによって得られる、安定な希釈ケイ酸塩水溶液。
【請求項１２】
ｐＨが５．０から１０．０である、請求項１１に記載の安定な希釈ケイ酸塩水溶液。
【請求項１３】
少なくとも１つの担体に会合している、請求項１１から１２に記載の安定な希釈ケイ酸塩水溶液。
【請求項１４】
請求項１から１０に記載の安定な水性ケイ酸塩組成物又は請求項１１から１２に記載の安定な希釈ケイ酸塩水溶液を、乾燥粉末が得られるまで蒸発させるステップを含むプロセスによって得られる粉末。
【請求項１５】
作物を保護するための、或いは医薬組成物又は化粧用組成物又は食品若しくは飼料サプリメントを調製するための、請求項１から１０に記載の安定な水性ケイ酸塩組成物又は請求項１１から１３に記載の安定な希釈ケイ酸塩水溶液の使用。
【請求項１６】
請求項１から１０に記載の安定な水性ケイ酸塩組成物又は請求項１１から１３に記載の安定な希釈ケイ酸塩水溶液の調製に寄与するキットであって、
少なくとも１つのアルカリ金属ケイ酸塩と、
尿素及び糖アルコール及びこれらの組合せから選択される少なくとも１つの第１のオスモライトと
を含む、キット。
【請求項１７】
請求項１から１０に記載の安定な水性ケイ酸塩組成物又は請求項１１から１３に記載の安定な希釈ケイ酸塩水溶液の調製に寄与するキットであって、
少なくとも１つのアルカリ金属ケイ酸塩と、
Ｎ−メチル化化合物から選択される少なくとも１つの第２のオスモライトと
を含む、キット。
【請求項１８】
請求項１から１０に記載の安定な水性ケイ酸塩組成物又は請求項１１から１３に記載の安定な希釈ケイ酸塩水溶液を調製するための成分として用いるためのオスモライト化合物溶液であって、
尿素及び糖アルコール及びこれらの組合せから選択される少なくとも１つの第１のオスモライト化合物を含むことを特徴とする、溶液。
【請求項１９】
請求項１から１０に記載の安定な水性ケイ酸塩組成物又は請求項１２から１３に記載の安定な希釈ケイ酸塩水溶液を調製するための成分として用いるためのオスモライト化合物溶液であって、
少なくともＮ−メチル化化合物から選択される前記第２のオスモライト化合物を含むことを特徴とする、溶液。
【発明の詳細な説明】
【技術分野】
【０００１】
本発明は、生物学的に利用可能な形態のケイ素を含む水性溶液の分野に関する。より詳しくは、本発明は、植物の肥沃化プログラム、又は医薬用、化粧用、若しくは栄養用調製物などで用いるのに適するオスモライトで安定化したアルカリケイ酸塩組成物、並びにオスモライトで安定化したアルカリケイ酸塩を調製するなどのための方法に関する。
【背景技術】
【０００２】
ケイ素（Ｓｉ）は、地殻においてアルミニウム（Ａｌ）に次いで２番目に最も豊富な元素であるが、天然では元素（金属）の形態では見出されない。実際、ケイ素は、酸素を引きつける力が非常に強く、水中において安定で最も優勢な形態で、モノケイ酸（Ｓｉ（ＯＨ）４）として、４個の酸素に結合している四面体構造を形成する。この弱酸は、９．８という最も低いｐＫａ値を持つ４つの酸官能基を示す。これは、モノケイ酸は、ｐＨ９．８では、５０％が非解離酸型で、５０％がモノイオン性の塩形態（ケイ酸イオン）で存在することを示唆する。他のｐＫａ値は１１．８から１３．５の間である。これは、非常に強力なアルカリを加えたときだけ、ケイ酸から出発して、４個の酸基全てを解離させて４個のケイ酸イオンにすることができることを意味する。１０．８を超えるｐＨ値ではケイ酸塩が優先的に形成される。
【０００３】
ｐＨ２からｐＨ８の間で、モノケイ酸又はオルトケイ酸は中性の分子である。これはｐＨ２からｐＨ３の間では優先的に無電荷である。３ｍＭを超える濃度で、縮合反応によって重合し始める。したがって、特別な安定化剤を導入しなければ、室温のときに安定である高濃度（＞４ｍＭ）のモノケイ酸を合成することは不可能である。２つのモノケイ酸分子間で第１の縮合反応をし、水分子を遊離して、ジケイ酸（即ち、二量体である（ＯＨ）３Ｓｉ−Ｏ−Ｓｉ（ＯＨ）３）が形成される。この二量体が更なる重合反応の決定的な出発分子である。Ｓｉ濃度、温度、及び他の分子又はイオンの存在に応じて、重合は、三量体、四量体、より大型のオリゴマー（直鎖状若しくは環状）の形成へと進行する。より高濃度では、より大型の直鎖状分子のケイ酸が形成され、これは更に成長し、一緒に縮合し始め、コロイド構造又はシリカを形成する。
【０００４】
懸濁液中のこれらの構造は全て、希釈時に加水分解し、水分子を消費して再びより小さな分子が形成される。
【０００５】
コロイドが更に重合されると、沈降物又はゲルの形成下で非晶質シリカの形成を生じる。最小の形態のケイ酸（モノ及びジケイ酸）だけが、生物（植物、藻類、地衣類、動物、ヒトなど）にとって生物学的に利用可能である。これらの分子は、土壌水、河川、海、源泉(sources)、海洋などにおいて入手できる。これら生物学的に利用可能な酸の水中ケイ素濃度は低濃度（＜３〜５ｍＭ）に制限される。特に、植物及び藻類は、これらの酸を生体に必要なシリカに変換し、このシリカは非常にゆっくりと水中に溶解してモノケイ酸となる。
【０００６】
最近の１０年間で、ケイ酸の他に、モノケイ酸塩及びモノケイ酸塩複合体も生物学的に利用可能な特徴を示すという証拠が存在するに至っている。それにもかかわらず、これら化合物の生物学的利用能を証明するのは困難である。
【０００７】
小さなケイ酸分子は、全種類の細胞膜を通じて拡散することができ、モノケイ酸に対し特異なアクアポリン（エントリーチャンネル）又はトランスポータータンパク質が植物及び藻類中に検出された。ケイ酸イオン（モノ又はジケイ酸イオン）が同様の方法で膜に入ることができるのは明らかである。小さなケイ酸とそれから派生するケイ酸イオンとの間の違いを示すのは化学的に困難である。ケイ酸イオンが膜中に入る間にケイ酸に変換される可能性もあるし、或いは別のチャンネルを通って複合体として入る可能性もある。本発明は、それ自身に特異なアクアポリンを有する適合性の溶質がケイ酸塩を細胞膜中に送達することができるという知見に端を発する。
【０００８】
ケイ酸及びケイ酸塩は細胞中で様々な活性を遂行する可能性がある。細胞の特異性は、様々な生物体におけるイオン形態で異なり得る。我々は、植物、動物、及びヒトにおいて両方の種類のケイ素が生物学的に利用可能であり、構造的又は生理学的な効果が投与後に検出できると考えている。現在まで、殆どの際立った効果はケイ酸の補充後に検出された。
【０００９】
ケイ酸は、水中における天然の生物学的に利用可能なケイ素源である。食物中のケイ素は、様々な形態で存在し、殆どが生物起源ケイ酸、並びにそれとタンパク質及び糖などの巨大分子との複合体として存在する。ケイ酸塩複合体及び不溶性ケイ酸塩も存在することがある。食品中のケイ素含有量とヒトにおけるケイ素の摂取との間には相関はない。従って、ケイ素化合物の生物学的利用能は、重要である。（モノ）ケイ酸以外の殆どの化合物の生物学的利用能は研究されていない。
【００１０】
本発明により、オスモライトで安定化した可溶性ケイ酸塩を同等量補充すると、ケイ酸を補充した際と同様の効果を示すことができ、その一方で、安定化されていないケイ酸塩では効果がより低いことが実証された。
【００１１】
天然において最も一般的なケイ素の形態は、ケイ酸（モノケイ酸から不溶性シリカまで）及びケイ酸塩である。殆どのケイ酸塩は、土壌ミネラル及び岩石中に存在するアルミノケイ酸塩である。これらの構造は安定であり、物理的な力（機械的及び生物学的な破砕、凍結解凍など）、その後の酸の作用による化学的風化によって破壊されるにすぎない。モノケイ酸は、このような化学的又は生物学的反応からの結果として、新たなケイ酸塩と共に形成され、水中に可溶化される。ケイ酸塩は大部分非常に複雑な構造を形成し、様々なミネラルの混合物を含み得る。ケイ酸塩は、通常強アルカリ条件において、可溶化され溶解される。
【００１２】
殆どのケイ酸塩は、ｐＨ２から８でのケイ酸よりも、高いｐＨで水により溶け易い。
【００１３】
シリカ（高度に重合化したケイ酸）の水中の溶解度は、一般に２００ｐｐｍ未満である。高度に濃縮したシリカの工業用水において、シリカは、逆浸透法又はイオン交換法を用いて、膜の透過を妨げる沈殿又は析出を抑制するために除去される。従って、これらの技術を用いて精製された飲料水は、ケイ素を殆ど含まないか、全く含まない。
【００１４】
シリカ粒子は、その表面上に不規則な負の荷電を示すが、塩の沈降をもたらす本来のアニオンと考えてはならない。これらは、実のところ、ケイ酸として沈降し、ひたすらゆっくりと可溶化する。水を含むシリカ粒子が多いほど（架橋は少なく、より多くのＯＨが存在する）、シリカ粒子はより容易に再び可溶化する。ＯＨ−及び水が接近することは、重合化したケイ酸及びケイ酸塩が分解してモノケイ酸又はモノケイ酸塩となるのに不可欠である。
【００１５】
シリカ粒子は、ＯＨ基を含んでいる多糖、タンパク質、フェノールなどの巨大分子を、水素（Ｏ−Ｈ）結合を通じて、引きつけ、結合する、高度にヒドロキシル化した表面を含んでいる。
【００１６】
ケイ酸塩は、シリカから、強アルカリ条件下での、Ｓｉ−Ｏ−Ｓｉ結合の解離、及びＳｉ−ＯＭ（Ｍは金属イオンである）結合をもたらすＳｉ−ＯＨ酸基のイオン化を通じて、工業的に調製される。得られるケイ酸塩の溶解性は、補充されるＯＨ−イオンの濃度及びＳｉ−Ｏ−Ｓｉ結合の解離の度合いに依存する。シリカ濃度が高いほど、完全に溶解し可溶化するのにより多くのアルカリが用いられ、生物学的利用能に必要とされるモノ及びジケイ酸塩がより高濃度でもたらされる。
【００１７】
最も興味深い可溶性ケイ酸塩はアルカリ金属ケイ酸塩であり、好ましくはケイ酸ナトリウム及びケイ酸カリウムである。これらは、精製したシリカから合成され、特にモノケイ酸塩及びジケイ酸塩を放出するアルカリ条件下で高度に可溶性である。
【００１８】
このような溶液は、通常ケイ酸アニオンの混合物を含んでいる。これら全てのアニオンの構成単位は、モノケイ酸と同様に、中央にケイ素原子及び四角錐の隅に酸素を有する四面体のアニオン：ＳｉＯ４４−である。これは単量体のケイ酸アニオン（モノ又はオルトケイ酸アニオン）である。水素イオン、カリウムイオン、又はナトリウムイオンは各酸素と会合している。重合化すると、四面体は、Ｓｉ−Ｏ−Ｓｉ結合によって相互に連結する。非共有の酸素原子の負電荷は、ケイ酸塩構造の間隙中にランダムに間隔をおいて配置されているアルカリカチオンの存在によってバランスが取られる。
【００１９】
ケイ酸塩はシリカから生成されるので、シリカの重合度、添加した水酸化アルカリの濃度、及び分解の程度に応じて様々な構造が存在する。分解すると、可溶化したケイ酸塩は分子種の分化を生じる。溶液中のケイ酸アニオンの混合物は、一般式
ｘＳｉＯ２：Ｍ２Ｏ
によって表されるモノ、ジ、トリ、及びより多くの直鎖状、環状、及び３次元のケイ酸アニオン構造を示し、式中、Ｍはアルカリ金属（リチウム、ナトリウム、又はカリウム）であり、ｘはシリカの金属酸化物に対するモル比（ＭＲ）を表し、アルカリ金属酸化物１モルあたりのシリカのモル数を規定している。モル比が高いほど、ケイ素の網目構造中に存在するアルカリ金属イオンは少なく、ケイ酸塩のアルカリ性は低い。工業的応用では、重量比が示され（ＷＲ）、これはＭＲから導かれる。ケイ酸カリウムではＭＲ＝１．５６ＷＲである。ケイ酸カリウムは、殆ど、１．３から２．５の範囲の重量比で生成される。
【００２０】
水性のアルカリ溶液中では、モノマー、オリゴマー、及びポリマーのケイ酸イオンの混合物が形成され、これらは動的平衡状態にある。このｘの比率がアニオンの分配に影響を及ぼす。比率が低いと（＜２）モノ及びジケイ酸塩並びに小さなオリゴマーの濃度は高くなり、比率が高いと（＞２．２）、構造はより複雑になり、より大きな環及びポリマーになる。濃縮された生成物のｐＨ値は通常１０から１３の間である。ｐＨ１１〜１２を超えると、不溶性の非晶質シリカのない、単量性及び重合性ケイ酸イオンの安定な溶液が得られるが、ｐＨが９まで低くなると可溶性は急速に低下する。このｐＨ未満では、不溶性ケイ酸塩の他には、非常に低率で単量性ケイ酸アニオンとして存在するにすぎない。ポリマー又は非晶質のシリカゲルが形成され、これらは３次元の網目構造の隙間からアルカリイオンが失われていることを特徴とする。
【００２１】
濃縮されたケイ酸塩溶液を水で希釈することにより、ケイ酸塩構造の新たな分配を生じる。希釈溶液のｐＨは低下し、ケイ素濃度に応じて不溶性ケイ酸塩が形成される。希釈されたケイ酸塩溶液のｐＨの低下は、ケイ酸塩の緩衝効果及びそのｐＫ値が１０から１３の間であることにより、予想され得るほどではない。ケイ酸塩はゆっくりと沈降し、又は重合化する。
【００２２】
希釈された試料での酸の添加は、濃縮ケイ酸塩溶液（＞０．１Ｍ  Ｓｉ）から出発してケイ酸を形成するのに必要である。ケイ酸アニオンは、ｐＨ８を超えると、ＯＨを含有する巨大分子と複合体を形成することができる。可溶性ケイ酸塩は、全ての種類の水及び媒体中に存在する多価カチオンと反応することもでき、これらイオンの消費により、対応する不溶性金属ケイ酸塩が形成され、生物学的利用能の低下がもたらされる。
【００２３】
以下の可溶性ケイ酸塩がＥＵ規制にしたがって登録されている：
ケイ酸ナトリウム（ＮａＯ：ｘＳｉＯ２）、
メタケイ酸二ナトリウム、無水、
メタケイ酸二ナトリウム、五水和物、
メタケイ酸二ナトリウム、一水和物、
ケイ酸カリウム（Ｋ２Ｏ：ｘＳｉＯ２）、
ケイ酸リチウム（Ｌｉ２Ｏ：ｘＳｉＯ２）。
【００２４】
ケイ素は、生存する全ての生物体にとって必須元素であるとはまだ完全に認められていないが、植物、微生物、動物、及びヒトに有益な効果があるとの十分な証拠が存在する。
【００２５】
有益な効果は、非生物的及び生物的なストレスに曝された植物において特に顕著である（Ｅｐｓｔｅｉｎ  Ｅ．（１９９９年）Ｓｉｌｉｃｏｎ  Ａｎｎｕａｌ  Ｒｅｖｉｅｗ  ｏｆ  Ｐｌａｎｔ  Ｐｈｙｓｉｏｌｏｇｙ  ａｎｄ  Ｐｌａｎｔ  Ｍｏｌｅｃｕｌａｒ  Ｂｉｏｌｏｇｙ、５０巻、６４１〜６６４頁）。Ｅｐｓｔｅｉｎ及びＢｌｏｏｍは、植物がケイ素を組み入れるための必須元素の定義を改変さえした（Ｅｐｓｔｅｉｎ  Ｅ．及びＢｌｏｏｍ  Ａ．Ｊ．（２００５年）Ｍｉｎｅｒａｌ  Ｎｕｔｒｉｔｉｏｎ  ｏｆ  Ｐｌａｎｔｓ  Ｐｒｉｎｃｉｐｌｅｓ  ａｎｄ  Ｐｅｒｓｐｅｃｔｉｖｅｓ；第２版、Ｓｕｎｄｅｒｌａｎｄ、Ｍ  Ａ、ＵＳＡ；Ｓｉｎａｕｅｒ  ａｓｓｏｃｉａｔｅｓ）。植物の地上部分では、ケイ素濃度は乾燥重量の０．１％から１０．０％まで変化する。ケイ素の取込み及び輸送においては違いがあり、ケイ素取込みに関する植物の分類がもたらされる。能動的取込み及びケイ素の蓄積を示す植物が存在し（いくつかのカヤツリグサ科及びイネ科の植物、例えば、イネ、コムギ、ドクムギ、及びオオムギ）、他の群はケイ素の受動的な拡散を許容するが（キュウリ、メロン、イチゴ、及びダイズなどのいくつかの双子葉類）、その一方で、一部の双子葉類はケイ素を排除さえする（例えば、トマト及びマメ）。ケイ素のトランスポーターは、イネにおいて、根及び導管への積み込みを担うことが同定された。他の単子葉類又は双子葉類におけるＳｉの取込み及び輸送に関しては殆ど情報がない。能動的及び受動的メカニズムの両方がＳｉ蓄積性植物におけるＳｉの取込み、及び輸送で作動することが示された（Ｅｐｓｔｅｉｎ  Ｅ．（２００９年）Ａｎｎａｌｓ  ｏｆ  Ａｐｐｌｉｅｄ  Ｂｉｏｌｏｇｙ、１５５巻、１５５〜１６０頁；Ｋｖｅｄａｒａｓ  Ｏ．Ｌ．ら（２００９年）Ａｎｎａｌｓ  ｏｆ  Ａｐｐｌｉｅｄ  Ｂｉｏｌｏｇｙ、１５５巻、１７７〜１８６頁；Ｌｉａｎｇ  Ｙ．Ｃ．ら（２００７年）Ｅｎｖｉｒｏｎｍｅｎｔａｌ  Ｐｏｌｌｕｔｉｏｎ、１４７巻、４２２〜４２８頁；Ｂｒｕｎｉｎｇｓ  Ａ．Ｍ．ら（２００９年）Ａｎｎａｌｓ  ｏｆ  Ａｐｐｌｉｅｄ  Ｂｉｏｌｏｇｙ、１５５巻、１６１〜１７０頁）。
【００２６】
本発明者らは、強力に酸性化したケイ酸塩での毎週の葉面散布処理を用いて、ケイ素蓄積性植物、ケイ素拡散植物、及びケイ素拒絶性植物でいくつかの実験を行い、保証されたケイ酸（０．０２ｍｇ／ｍｌＳｉを含む溶液）での葉面処理をもたらした。
【００２７】
これら全ての試験において、成長、生産、感染に対する抵抗性、果実の色；保存寿命などに対する明らかな効果が得られ、ケイ素は、実際に、葉面処理を利用して全ての植物においてケイ酸として取り込まれることを示した。科学者の中には葉面処理技術を拒絶し、根部改善技術のみを信じる者もある。
【００２８】
一般的に、文献において発表されたケイ素肥沃化の実験は、土壌と混合された固体（例えば、ケイ酸カルシウム及びケイ酸ナトリウム）、或いは多価ミネラル及び他の不純物を含むプロセス水（ｐＨ＜９）での適切な希釈化を伴う土壌潅漑又は土壌混合技術を利用する、可溶化したケイ酸塩溶液（例えば、ケイ酸ナトリウム又はケイ酸カリウム）のいずれかを用いて行われた。１ｍＭから１００ｍＭの間のケイ素濃度が通常用いられる（１ｍＭＳｉ＝２８マイクログラムＳｉ／ｍｌ）。葉面処理は頻繁には用いられないが、同様の濃度が適用され、この葉面処理は実験室内の実験では有効性が低いと考えられる。土壌肥沃化の間、ケイ酸塩は根の周囲に非常に長く留まり、ゆっくりと溶解するが、葉面処理したケイ酸塩の場合では、ケイ素を含む薄い水フィルムが急速に乾燥する。
【００２９】
殆どの著者は、ケイ酸塩ではなくモノケイ酸が有効成分であると主張している。希釈したケイ酸塩の濃度が、生物学的に利用可能な化合物であることが確認され、証明されているケイ酸に完全に変換されているのを示すのは困難であるか、全く不可能である。第一に、希釈するとｐＨの大幅な低下をきたし重合シリカを生じる。普遍的に存在する多価の金属イオンは不溶性ケイ酸塩の形成をもたらし、濃縮Ｓｉ溶液ｐＨ＞１２から出発してプロセス水ｐＨ＞６で十分なプロトンを欠くため、ケイ酸の完全な形成が阻害される。−ＯＨ含有天然化合物との複合体形成が起こり得る。
【００３０】
本発明は、高度に濃縮した可溶性ケイ酸塩溶液中に選択されたオスモライトを含有する混合物を用いて、おそらくケイ酸イオンをその濃縮形態及び希釈中において重合化から保護する新たな配合組成をもたらし、これは希釈後にケイ酸に匹敵する高い生物活性を示す。
【００３１】
ケイ素は、植物において様々な非生物的及び生物的なストレスに対する耐性を付与する。ケイ素は、真菌又は細菌の侵入を阻害する細胞壁における重合化によって生物起源シリカとして蓄積するだけではなく、木部の流動性を保護し、毒性金属を中和し、塩分及び干ばつに対抗し、膜の構造、完全性、及び機能に影響を及ぼし、脂質の過酸化を阻害し、栄養のバランスを改善し、野菜及び果実の保存寿命を増大したりする。
【００３２】
最近の２０年間で、植物、動物、及びヒトにおけるケイ素の恩恵を示す何百もの出版物がある（Ｒｏｂｂｅｒｅｃｈｔ  Ｈ．ら（２００９年）、Ｓｃｉｅｎｃｅ  ｏｆ  ｔｈｅ  Ｔｏｔａｌ  Ｅｎｖｉｒｏｎｍｅｎｔ、４０７巻、１６号、４７７７〜４７８２頁；Ｓｒｉｐａｎｙａｋｏｒｎ  Ｓ．ら（２００９年）、Ｂｒｉｔｉｓｈ  Ｊｏｕｒｎａｌ  ｏｆ  Ｎｕｔｒｉｔｉｏｎ、１０２巻、６号、８２５〜８３４頁）。それにもかかわらず、適切な濃度、最善且つ最も安いケイ素化合物種の形成、適用する際の最適ｐＨ、主要な作用の決定、及び他の化合物との相乗効果はまだ提示されていない。ある種のケイ素組成物の植物における生物学的活性を実証するための簡単な試験さえ存在しない。
【００３３】
要約すると、Ｓｉは現在、植物に不可欠な栄養素と考えられており、微生物、動物、及びヒトにおける有益な効果について十分な証拠が存在する。ケイ素は、非生物学的及び生物学的ストレスに曝された植物に特に有益である。ここ１０年間で、モノ及びジケイ酸の他に、ケイ酸塩及びケイ酸塩複合体も、ある程度まで生物学的に利用可能なケイ素の供給源であり得る証拠が見られるようになっている。
【００３４】
ケイ酸又はケイ酸塩を用いることの障害は、これらには急速に沈降及び重合化する傾向があり、それによってこれらの生物学的利用能が低減することである。ケイ酸塩は、強アルカリ条件でのみ可溶性である。ｐＨ＜９．５では、モノケイ酸は急速に重合化し、三量体、四量体、及びより大型の直鎖状又は環状オリゴマーを形成する。より高濃度では、ケイ酸のより大型の直鎖状分子が形成され、これは更に成長し、コロイド構造へと凝縮し始める。このコロイドが更に重合化し、沈殿物又はシリカゲルとして非晶質シリカが形成される。水中でケイ酸として生物学的に利用可能なケイ素は、＜３〜５ｍＭの濃度にすぎない。
【００３５】
可溶性ケイ酸塩は、ケイ酸ナトリウム及びケイ酸カリウムなどのアルカリ金属ケイ酸塩である。これらは精製シリカから合成され、アルカリ条件下で高度に可溶性で特にモノ及びジケイ酸塩を放出する。ケイ酸塩の工業的製造では、濃縮されたケイ酸塩溶液を生じ、これは適当に希釈する必要がある。しかし、これらの濃縮ケイ酸塩溶液はあまり安定ではなく、その希釈液もあまり安定ではない。希釈するとｐＨは低下し、ケイ素濃度及び多価金属イオンの存在に応じて不溶性ケイ酸塩が形成される。水又は媒体などからの多価カチオンとの反応により、対応する金属ケイ酸塩の沈降が引き起こされることがあり、それによってその生物学的利用能は低減される。
【００３６】
生物学的に利用可能であるケイ素を得るための一つの方法は、国際特許出願第ＷＯ２００３／０７７６５７号に記載されている。ここでは、オルトケイ酸などのケイ酸を、非常に低いｐＨとし遊離のヒドロキシル基がない塩基性化合物で穏やかにアルカリ化して２未満のｐＨとして使用することが記載されている。調製物中にケイ酸塩は存在しない。これは完全なケイ酸での手法である。
【００３７】
生物学的に利用可能であるケイ素を得るための一つの方法は、国際特許出願第ＷＯ２００１／０４７８０７号に記載されている。この特許は、非毒性の溶媒（液体）の存在下でケイ酸塩を加水分解してｐＨ０〜４の溶液にすることによってオルトケイ酸を生成することを記載している。ケイ酸溶液の生成にオスモライトは言及されてなく、必要とされてもいない。これもやはりケイ酸での手法である。
【００３８】
このように、当技術分野においては、それから高濃度物質を容易に得ることができる、ケイ酸塩などの安価なバルク材料から、濃縮形態及び希釈形態の両方において安定性が高い、生物学的に利用可能なケイ素溶液を生成することに対する明らかな要求がある。濃縮ケイ素溶液をあらゆるタイプの水で希釈することに対する要求もある。実際に、希釈すると、アルカリで可溶化したケイ酸塩の安定性は、媒体の組成に依存する。
【発明の概要】
【発明が解決しようとする課題】
【００３９】
本発明の目的は、生物学的に利用可能なケイ酸塩を生物体に提供するための良好な組成物、及び生物学的に利用可能なケイ酸塩組成物を調製するための良好な方法を提供することである。
【課題を解決するための手段】
【００４０】
上記の目的は、本発明による組成物、方法、及び使用によって達成される。
【００４１】
本発明は、アルカリ金属ケイ酸塩を含む安定な水性ケイ酸塩組成物であって、尿素及び糖アルコール及びこれらの組合せから選択される少なくとも１つの第１のオスモライト化合物と、Ｎ−メチル化化合物から選択される少なくとも１つの第２のオスモライト化合物とを含むことを特徴とする、組成物に関する。アルカリ金属ケイ酸塩が生物学的に利用可能なケイ素の供給源となるために可溶化されていることが不可欠である。
【００４２】
本発明の好ましい実施形態によると、アルカリ金属ケイ酸塩は、ケイ酸ナトリウム、ケイ酸カリウム、ケイ酸リチウム、及びこれらの組合せからなる群から選択される。本発明の利点は、溶解されるケイ酸塩が、アルカリ金属ケイ酸塩であり、本発明の安定な水性ケイ酸塩組成物の安定化した溶解状態を実現することである。
【００４３】
本発明の重要な一つの特徴は、アルカリ金属ケイ酸塩が、本発明の安定な水性ケイ酸塩組成物内で、最小限で２つのオスモライトで安定化されることである。その結果、安定な水性ケイ酸塩組成物は室温で少なくとも１年安定である。更に、ケイ酸塩が溶解した状態であり、組成物は、植物、微生物、動物、及びヒトなどの生存する生物体の健康上の利益のために生物学的に利用可能なケイ素の供給源となる。
【００４４】
驚くべきことに、本発明の安定な水性ケイ酸塩組成物は、植物にとって生物学的に利用可能なケイ素の供給源を提供し、作物に適用した場合、殺菌剤の比率が低減し、殺菌剤の殺菌効率が増強し、作物の収量が増大し、収穫した作物の品質パラメータが改良されるといった驚くべき効果がある。
【００４５】
本発明の一の利点は、安定な水性ケイ酸塩組成物が非常に用途が多いことである。したがって、この安定な水性ケイ酸塩組成物は、栄養サプリメント、治療用組成物、化粧用組成物、肥料、又は植物保護組成物などの全範囲の生産物に適用し、又は加えることができる。
【００４６】
本発明の好ましい一実施形態によると、糖アルコールは、グリセロール、ピニトール、ガラクチトール、タリトール、エリスリトール、トレイトール、アラビトール、キシリトール、リビトール、マンニトール、ソルビトール、ズルシトール、イジトール、マルチトール、ラクチトール、ポリグリシトール、及びこれらの組合せからなる群から選択される。好ましくは、安価で広範囲に利用でき、容易に適用できる生成物であるグリセロールを用いる。
【００４７】
本発明の別の好ましい一実施形態によると、Ｎ−メチル化化合物は、トリメチルグリシン、カルニチン、Ｎ−メチルアラニン、トリメチルアミノ−酪酸、プロリン−ベタイン、サルコシン、Ｎ−メチル−グリシン、Ｎ，Ｎ−ジメチルグリシン、Ｎ−メチルアスパラギン酸、アラニン−ベタイン、ヒスチジン−ベタイン、Ｎ−メチルタウリン、コリン、コリン誘導体、トリメチルアミン−Ｎ−オキシド（ＴＭＯＡ）、及びこれらの組合せ、及びこれらの塩からなる群から選択される。
【００４８】
安定な水性ケイ酸塩組成物は、任意選択によって、タウリン、クレアチン、コリン−ｏ−硫酸塩、グリセロホスホリルコリン、ジグリセロール−ホスフェート、トリメチルグリシンのスルホニオ類似体、ジメチルスルホニオプロピオネート、エクトイン、ヒドロキシルエクトイン、プロリン、バリン、アスパラギン酸、イソロイシン、グリシン、アラニン、グルタメート、スクロース、ミオイノシトール、フルクトース、マルトース、トレハロース、プトレシン、スペルミジン、スペルミン、カダベリン、及びこれらの組合せ、及びこれらの塩からなる群から選択される第３のオスモライト化合物を更に含むことができる。
【００４９】
安定な水性ケイ酸塩組成物は、任意選択によって、肥料、植物保護化合物、殺虫剤、成長調整物質、アジュバント、ミネラル、殺生物剤(biocide)、洗剤、乳化剤、飼料又は食品添加物、飼料又は食品サプリメント、及びこれらの組合せからなる群から選択される１つ又は複数の添加剤を更に含むことができる。従って、好都合なことに、本発明の組成物は、生物学的に利用可能であるケイ素を提供するだけではなく、上記に列挙した第４の化合物などの他の保護化合物又は成長を支持する化合物も提供することができるため、植物に対して複数の健康上の利益をもたらす組成物である。
【００５０】
安定な水性濃縮ケイ酸塩組成物内の多価金属イオンの濃度は、溶解しているケイ酸塩の長期の安定性を支持するために、１０ｍＭより低く、且つ／又は組成物のｐＨが１０．８を超えるのが好ましい。
【００５１】
また、組成物のケイ素濃度は、０．０２Ｍから１．６０Ｍケイ素であることが好ましい。
【００５２】
第１のオスモライト化合物は、少なくとも１．０％（ｗ／ｖ）の濃度で存在することが好ましい。組成物中に含まれる全てのオスモライトの総オスモライト濃度が７０．０％（ｗ／ｖ）未満であることが好ましい。
【００５３】
好ましい一実施形態において、本発明の組成物は、１つ又は複数の担体と会合しており、例えば、非毒性の担体上若しくはゴム上に吸着されたり、又は増粘剤若しくはビーズなどの担体上に吸着されている。
【００５４】
本発明はまた、本発明による安定な水性ケイ酸塩組成物を、少なくとも１００倍、任意選択によって少なくとも２５０倍、任意選択によって少なくとも５００倍、任意選択によって少なくとも７５０倍、又は任意選択によって少なくとも１５００倍希釈することによって得ることができる安定な希釈ケイ酸塩水溶液に関する。
【００５５】
本発明の一つの利点は、本発明の組成物などの高度に濃縮した可溶性ケイ酸塩溶液中に選択されたオスモライトを含む混合物を用いることによって、ケイ酸イオンが濃縮形態においてのみならず希釈後も重合化から保護され、希釈後も高い生物学的活性を示すことである。
【００５６】
本発明の一つの利点は、安定な希釈ケイ酸塩水溶液が、植物、微生物、動物、及びヒトなどの生存する生物体に健康上の利益を付与するのに適することである。
【００５７】
好都合なことに、希釈は、飲料水（例えば、動物用飲料水）などの利用可能なあらゆるタイプの水で行うことができる。希釈液は、ヒト又は動物が消費するための食品と混合することもできる。
【００５８】
安定な希釈ケイ酸塩水溶液のｐＨは、５．０から１０．０であることが好ましい。
【００５９】
好ましい一実施形態において、本発明の安定な希釈ケイ酸塩水溶液は、１つ又は複数の担体と会合しており、例えば、非毒性の担体上若しくはゴム上に吸着されたり、又は増粘剤若しくはビーズなどの担体上に吸着されている。
【００６０】
本発明は更に、本発明の安定な水性ケイ酸塩組成物又は本発明の安定な希釈ケイ酸塩水溶液を、乾燥粉末が得られるまで蒸発させるステップを含むプロセスによって得られ得る粉末に関する。
【００６１】
本発明によるこの粉末が、貯蔵、輸送、販売、及び取扱いが容易であることは一つの利点である。重量が軽く、必要とになるまでの貯蔵が容易であり、入手可能なあらゆるタイプの水に所望の濃度で再生する利点を提示できるので、粉末は、消費者が手軽に使える形態でもある。
【００６２】
本発明はまた、作物を保護するための、或いは医薬組成物又は化粧用組成物又は食品若しくは飼料サプリメントを調製するための、本発明による安定な水性ケイ酸塩組成物、又は本発明による安定な希釈ケイ酸塩水溶液の使用に関する。それゆえ、本発明の安定な水性ケイ酸塩組成物は、生物学的に利用可能なケイ素を生存する生物体に提供するのに用いることができる。
【００６３】
本発明はまた、安定な水性ケイ酸塩組成物を調製するための方法に関する。
【００６４】
本発明は更に、作物の表面の少なくとも一部分に、本発明の安定な水性ケイ酸塩組成物の有効量を適用することによって、作物を保護するための方法に関する。
【００６５】
本発明は更に、本発明による安定な水性ケイ酸塩組成物、又は本発明による安定な希釈ケイ酸塩水溶液の調製に寄与するキットであって、少なくとも１つのアルカリ金属ケイ酸塩、並びに尿素及び糖アルコール及びこれらの組合せから選択される少なくとも１つの第１のオスモライトを含む、キットに関する。
【００６６】
任意選択によって、このキットは、Ｎ−メチル化化合物から選択される第２のオスモライト化合物も含むことができる。
【００６７】
任意選択によって、キットは、タウリン、クレアチン、コリン−ｏ−硫酸塩、グリセロホスホリルコリン、ジグリセロール−ホスフェート、トリメチルグリシンのスルホニオ類似体、ジメチルスルホニオプロピオネート、エクトイン、ヒドロキシルエクトイン、プロリン、バリン、アスパラギン酸、イソロイシン、グリシン、アラニン、グルタメート、スクロース、ミオイノシトール、フルクトース、マルトース、トレハロース、プトレシン、スペルミジン、スペルミン、カダベリン、及びこれらの組合せ、及びこれらの塩からなる群から選択される第３のオスモライト化合物も含むことができる。
【００６８】
本発明は更に、本発明による安定な水性ケイ酸塩組成物、又は本発明による安定な希釈ケイ酸塩水溶液の調製に寄与するキットであって、少なくとも１つのアルカリ金属ケイ酸塩、及びＮ−メチル化化合物から選択される少なくとも１つの第２のオスモライトを含む、キット関する。
【００６９】
任意選択によって、このキットは、尿素及び糖アルコール及びこれらの組合せから選択される第１のオスモライトも含むことができる。
【００７０】
任意選択によって、キットは、タウリン、クレアチン、コリン−ｏ−硫酸塩、グリセロホスホリルコリン、ジグリセロール−ホスフェート、トリメチルグリシンのスルホニオ類似体、ジメチルスルホニオプロピオネート、エクトイン、ヒドロキシルエクトイン、プロリン、バリン、アスパラギン酸、イソロイシン、グリシン、アラニン、グルタメート、スクロース、ミオイノシトール、フルクトース、マルトース、トレハロース、プトレシン、スペルミジン、スペルミン、カダベリン、及びこれらの組合せ、及びこれらの塩からなる群から選択される第３のオスモライト化合物も含むことができる。
【００７１】
本発明は更に、本発明による安定な水性ケイ酸塩組成物、又は安定な希釈ケイ酸塩水溶液を調製するための成分として用いるためのオスモライト化合物溶液であって、尿素及び糖アルコール及びこれらの組合せから選択される少なくとも１つの第１のオスモライト化合物を含むことを特徴とする、オスモライト化合物溶液に関する。
【００７２】
任意選択によって、このオスモライト化合物溶液は、Ｎ−メチル化化合物から選択される第２のオスモライト化合物も含むことができる。
【００７３】
任意選択によって、このオスモライト化合物溶液は、タウリン、クレアチン、コリン−ｏ−硫酸塩、グリセロホスホリルコリン、ジグリセロール−ホスフェート、トリメチルグリシンのスルホニオ類似体、ジメチルスルホニオプロピオネート、エクトイン、ヒドロキシルエクトイン、プロリン、バリン、アスパラギン酸、イソロイシン、グリシン、アラニン、グルタミン酸塩、スクロース、ミオイノシトール、フルクトース、マルトース、トレハロース、プトレシン、スペルミジン、スペルミン、カダベリン、及びこれらの組合せ、及びこれらの塩からなる群から選択される第３のオスモライト化合物も含むことができる。
【００７４】
本発明は更に、本発明による安定な水性ケイ酸塩組成物、又は本発明による安定な希釈ケイ酸塩水溶液を調製するための成分として用いるためのオスモライト化合物溶液であって、Ｎ−メチル化化合物から選択される少なくとも１つの第２のオスモライト化合物を含むことを特徴とする、オスモライト化合物溶液に関する。任意選択によって、このオスモライト化合物溶液は、尿素、及び糖アルコール、及びこれらの組合せから選択される第１のオスモライトも含むことができる。
【００７５】
任意選択によって、このオスモライト化合物溶液は、タウリン、クレアチン、コリン−ｏ−硫酸塩、グリセロホスホリルコリン、ジグリセロール−ホスフェート、トリメチルグリシンのスルホニオ類似体、ジメチルスルホニオプロピオネート、エクトイン、ヒドロキシルエクトイン、プロリン、バリン、アスパラギン酸、イソロイシン、グリシン、アラニン、グルタミン酸塩、スクロース、ミオイノシトール、フルクトース、マルトース、トレハロース、プトレシン、スペルミジン、スペルミン、カダベリン、及びこれらの組合せ、及びこれらの塩からなる群から選択される第３のオスモライト化合物も含むことができる。
【００７６】
本発明の特定の且つ好ましい態様を、添付の独立及び従属の特許請求の範囲に記載する。
【００７７】
本技術分野におけるケイ酸塩組成物には絶え間なく改善、変更、及び発展があるが、本発明の概念は、従来の実践からの逸脱を含む実質的に新規且つ奇抜な改善を提示するものであり、この種の組成物で、より効果的で、安定で、信頼できる組成物を提供し得るものと考えられる。
【００７８】
本発明の教示は、溶解したケイ酸塩を提供するための改善された方法及び生成物の設計を許容する。本発明の、上記の、及び他の特徴、特性、及び利点は、添付の図面と組み合わせて理解され、例によって本発明の原理を説明する、以下の詳細な記載から明らかになるであろう。
【図面の簡単な説明】
【００７９】
【図１】様々なレベルの殺菌剤１及び／又は本発明による組成物を用いた、３つの異なる圃場試験における、ジャガイモ夏疫病菌（Ａｌｔｅｒｎａｒｉａ  ｓｏｌａｎｉ）に感染したジャガイモの、収量の増加を示すグラフである。
【図２】ブドウのウドンコ病感染の重症度を示すグラフである：（Ａ）非処理のブドウ；（Ｂ）本発明による組成物１Ｌ／ｈａで処理したブドウ。
【図３】様々なレベルの殺菌剤と共に、本発明による組成物０．６５Ｌ／ｈａを用いない（白バー）又は用いた（斜線バー）３つの異なる圃場試験におけるジャガイモの葉枯れ病感染の低減を示すグラフである。
【図４】本発明による組成物０．６５Ｌ／ｈａと共に、３つの異なるプログラムで殺菌剤を噴霧した葉枯れ病感染したジャガイモの収量の増加を示すグラフである。
【図５】本発明による組成物２Ｌ／ｈａを使用せず（白バー）又は使用して（斜線バー）果樹園で行った圃場試験から収穫した果実の質に関する効果を示すグラフである。
【図６】本発明による組成物２Ｌ／ｈａを使用せず（白バー）又は使用して（斜線バー）果樹園において行った圃場試験から収穫した果実の貯蔵病害汚染に対する遅延を示すグラフである。
【００８０】
異なる図面において、同じ参照記号は同じ又は類似の要素を意味する。
【発明を実施するための形態】
【００８１】
本発明を、特定の実施形態に関して、特定の図面を参照して説明するが、本発明はこれらに限定されるものではなく、特許請求の範囲によってのみ限定される。図面は概略的に記載するにすぎず、非限定的なものである。
【００８２】
特許請求の範囲において用いられる「含んでいる」の語は、その後に列挙する手段に制限されるものと解釈してはならず、他の要素又は工程を除外するものではないことに留意すべきである。したがって、これは言及する特性、ステップ、又は構成成分の存在を特定するものと解釈すべきであるが、１つ又は複数の他の特性、ステップ、又は構成成分、又はこれらの群の存在又は付加を排除するものではない。
【００８３】
以下の語は、もっぱら本発明の理解を助けるために提供するものである。これらの定義は、当業者によって理解されるより少ない範囲を有すると解釈してはならない。
【００８４】
「ケイ酸塩」は、ケイ酸塩又はケイ酸塩粉末を意味する。
【００８５】
「総オスモライト濃度」は、第１の、第２の、及び第３のオスモライト化合物の濃度の合計を意味する。
【００８６】
「作物」は、果実、野菜、穀物、マメ科植物、樹木、低木、花、草、根、景観植物、観賞植物、及び作物植物などのあらゆるタイプの植物又は植物の生成物を意味し得る。
【００８７】
「作物の保護」は、太陽及び／又は熱の望ましくない作用を防ぎ、且つ／又は低減し、且つ／又は最小にする、本発明の生成物の能力を意味する。作物に対する太陽及び／又は熱の望ましくない作用には日焼け及び熱のストレスが含まれ、その総ては、光合成の間の蒸散を増大し、又は果実、野菜、及び繊維などの植物生成物に視覚的な損傷を引き起こすことがある。作物の保護はまた、本発明の化合物が植物生成物に対する昆虫の蔓延及び／又は損傷を予防し、且つ／又は低減し、且つ／又は最小にする能力も意味する。
【００８８】
本開示において用いられる「安定性」の語は、本発明の組成物中の個々のケイ酸塩が、懸濁液中又は容器の底部の癒着物において、重合化（ゾル若しくはゲルの形成）、沈降、凝固又は凝集するのを防ぐことを特に意味する。本開示の実際的な目的では、重合化又は凝固のプロセスが平穏な輸送容器中で知覚できる沈降を形成するのに少なくとも５日かかるほど遅い場合、懸濁液は安定であるとみなされる。
【００８９】
第１の態様において、本発明は安定な水性ケイ酸塩組成物に関する。
【００９０】
特定の一実施形態において、この組成物は＞０．０２のケイ素濃度及び＞１０．８のｐＨを有し、第１のオスモライト化合物のモル濃度はケイ素のモル濃度の４分の１よりも高い：［第１のオスモライト化合物］＞０．２５［Ｓｉ］。
【００９１】
第２の態様において、本発明は安定な希釈ケイ酸塩水溶液に関する。
【００９２】
特定の一実施形態において、本発明の安定な水性ケイ酸塩組成物は、安定な希釈ケイ酸塩水溶液が得られるように希釈される。希釈は、全ての種類の水、又は溶液、乳液、懸濁液において、或いは清涼飲料、スープ、コーヒー、茶、ジュース、又は牛乳などの飲料において、或いはこれらの組合せにおいて行うことができる。このようにして、安定な希釈ケイ酸塩水溶液は、原核細胞及び真核細胞、植物、動物、及びヒトに対する、生物学的に利用可能なケイ素の供給源となる。
【００９３】
安定な希釈ケイ酸塩水溶液のｐＨは、ｐＨ５．０からｐＨ１０．０の間が好ましい。例えば、０．５５ＭのＳｉを含む本発明の安定な水性ケイ酸塩組成物を５００倍希釈した溶液のｐＨは、例えば、水道水中で希釈した場合には、７．０から８．０の間になるであろうし、例えば、精製水中で希釈した場合には、８．０から９．０の間のｐＨであろう。
【００９４】
特定の一実施形態において、組成物又はその安定な希釈液は、１つ又は複数の担体と会合しており、例えば、セルロース、セルロース誘導体、タンパク質、塩、糖、デンプン、加工デンプン、処理済みデンプン、デンプンのホスフェート及びそのエステル、ヒドロキシプロピルデンプン、及び加水分解したデンプン、並びにこれらの混合物からなる群から選択される非毒性の担体上に吸収され、これらは、溶液、乳液、ゲル、又は懸濁液をもたらす。
【００９５】
安定な水性ケイ酸塩組成物又はその安定な希釈液は更に、ゼラチン、コラーゲン、小麦粉、脂肪、穀物、穀粒、糖、ラクトース、マンニトール、多糖、アミノ糖、糖重合体、及びゲル、及びこれらの混合物からなる群から選択される増粘剤などの１つ又は複数の担体に吸着されるのが特に適している。
【００９６】
安定な水性ケイ酸塩組成物又はその安定な希釈液はまた、アルギネート、アルギネート、セルロース、及びペクチン、並びにこれらの修飾物及びポリマー及び混合物からなる群から選択されるビーズなどの１つ又は複数の担体に吸着されるのも特に適している。
【００９７】
特定の一実施形態において、組成物又はその安定な希釈液は、寒天、アルギン酸、ベータグルカン、カラギナン、ダンマル樹脂、グルコマンナン、グアーゴム、アルギン酸ナトリウム、及びザンタンゴム、及びこれらの混合物からなる群から選択されるゴムなどの１つ又は複数の担体上に吸着される。
【００９８】
第３の態様において、本発明は粉末に関する。
【００９９】
特定の一実施形態において、本発明の安定な水性ケイ酸塩組成物又はその希釈液は、粉末を得るために蒸発させられる。
【０１００】
特定の一実施形態において、本発明の粉末は１つ又は複数の担体と会合しており、例えば、非毒性の担体若しくはゴムに吸着されており、又は増粘剤若しくはビーズなどの担体上吸着されている。
【０１０１】
第４の態様において、本発明は使用に関する。
【０１０２】
上記の記載から理解できるように、安定な水性ケイ酸塩組成物又はその安定な希釈液は、微生物、植物、動物、及びヒトに適用するための、生物学的に利用可能なケイ素の供給源として広範囲の用途において用いることができる。
【０１０３】
特定の一実施形態において、安定な水性ケイ酸塩組成物又はその安定な希釈液は、作物の生産において用いられる。溶解したケイ酸塩の他に、この組成物又はその安定な希釈液は、植物保護化合物、殺虫剤、成長調節物質、又は作物の生産に用いられる他の化合物を更に含むことができる。より具体的には、この組成物は、液体肥料などの肥料として、又は葉面処理若しくは点滴灌漑で植物保護化合物として用いることができる。それに加えて、この組成物は、例えば、灌漑流（「施肥灌漑」）において、土壌の施肥灌漑において、又は液体注入によって、混合される。この組成物は、例えば、液体散布機、回転円盤散布機、液滴散布機を用いて、畝間湛水灌漑(furrow and flood irrigation)、表面適用及び流水適用において使用することができる。
【０１０４】
別の特定の一実施形態において、安定な水性ケイ酸塩組成物又はその安定な希釈液は、軟膏剤、クリーム剤、ミルク、ゲル剤、水ベースの液剤、乳剤、溶液剤、ローション剤、マスク、パッチ剤、噴霧剤、飲料、飲み物、シロップ剤、カプセル剤、丸剤、錠剤、ソフトゲル剤などの、医薬組成物又は治療用製剤において、又は医薬組成物又は治療用製剤を調製するために用いられる。
【０１０５】
別の特定の一実施形態において、安定な水性ケイ酸塩組成物又はその安定な希釈液は、化粧用組成物において、又は化粧用組成物を調製するために用いられる。
【０１０６】
別の特定の一実施形態において、安定な水性ケイ酸塩組成物又はその安定な希釈液は、食品若しくは飼料のサプリメントにおいて、又は食品若しくは飼料のサプリメントを調製するために用いられる。
【０１０７】
第５の態様において、本発明は、本発明による安定な水性ケイ酸塩組成物又は本発明による安定な希釈ケイ酸塩水溶液を調製するための成分として使用するためのオスモライト化合物溶液であって、尿素及び糖アルコール及びこれらの組合せから選択される少なくとも１つの第１のオスモライト化合物を含むことを特徴とする、オスモライト化合物溶液に関する。特定の一実施形態において、オスモライト化合物溶液は、例えば、尿素又は糖アルコール又は両方を含む水溶液であってよく、任意選択によって、Ｎ−メチル化化合物から選択される第２のオスモライト化合物が、このオスモライト化合物溶液中に存在し、又はそれに加えられる。
【０１０８】
好ましい一実施形態において、本発明のオスモライト化合物溶液は、本発明による安定な水性ケイ酸塩組成物又は本発明による安定な希釈ケイ酸塩水溶液を調製するための成分として用いるためのものであって、オスモライト化合物溶液が、Ｎ−メチル化化合物から選択される少なくとも１つの第２のオスモライト化合物を含むことを特徴とする。特定の一実施形態において、オスモライト化合物溶液は、例えば、Ｎ−メチル化化合物を含む水溶液であってよく、任意選択によって、尿素及び糖アルコール及びこれらの組合せから選択される第１のオスモライト化合物が、このオスモライト化合物溶液中に存在し、又はそれに加えられる。
【０１０９】
Ｎ−メチル化化合物は、例えば、トリメチルグリシン、カルニチン、Ｎ−メチルアラニン、トリメチルアミノ−酪酸、プロリン−ベタイン、サルコシン、Ｎ−メチル−グリシン、Ｎ，Ｎ−ジメチルグリシン、Ｎ−メチルアスパラギン酸、アラニン−ベタイン、ヒスチジン−ベタイン、Ｎ−メチルタウリン、コリン、コリン誘導体及びその塩、トリメチルアミン−Ｎ−オキシド（ＴＭＡＯ）、並びにこれらの組合せ、並びにこれらの塩からなる群から選択されるＮ−メチル化化合物である。
【０１１０】
第６の態様において、本発明は、本発明による安定な水性ケイ酸塩組成物又は本発明による安定な希釈ケイ酸塩水溶液の調製に寄与するためのキットであって、少なくとも１つのアルカリ金属ケイ酸塩、並びに尿素及び糖アルコール及びこれらの組合せから選択される少なくとも１つの第１のオスモライトを含むキットに関する。
【０１１１】
任意選択によって、このキットは、Ｎ−メチル化化合物から選択される第２のオスモライト化合物も含むことができる。
【０１１２】
本発明は更に、本発明による安定な水性ケイ酸塩組成物又は本発明による安定な希釈ケイ酸塩水溶液の調製に寄与するためのキットであって、少なくとも１つのアルカリ金属ケイ酸塩、並びにＮ−メチル化化合物から選択される少なくとも１つの第２のオスモライトを含むキットに関する。
【０１１３】
任意選択によって、このキットは、尿素及び糖アルコール及びこれらの組合せから選択される第１のオスモライトも含むことができる。
【０１１４】
Ｎ−メチル化化合物は、例えば、トリメチルグリシン、カルニチン、Ｎ−メチルアラニン、トリメチルアミノ−酪酸、プロリン−ベタイン、サルコシン、Ｎ−メチル−グリシン、Ｎ，Ｎ−ジメチルグリシン、Ｎ−メチルアスパラギン酸、アラニン−ベタイン、ヒスチジン−ベタイン、Ｎ−メチルタウリン、コリン、コリン誘導体及びその塩、トリメチルアミン−Ｎ−オキシド（ＴＭＡＯ）、並びにこれらの組合せ、並びにこれらの塩からなる群から選択されるＮ−メチル化化合物である。
【０１１５】
第７の態様において、本発明は、安定な水性ケイ酸塩組成物を調製するための方法に関する。
【０１１６】
特定の一実施形態において、本発明の安定な水性ケイ酸塩組成物の調製は、最小で２つの選択されたオスモライトでの安定化を伴う。この調製方法は、例えば、以下のステップを伴う。
【０１１７】
第１に、アルカリケイ酸塩又はシリカ粉末を、強アルカリ水酸化物中で完全に可溶化する。或いは、可溶化したアルカリケイ酸塩を用いてもよい。濃縮ケイ素溶液をこのようにして得、ケイ素濃度は、例えば、３Ｍ  Ｓｉより高い。ｐＨが１２．５を超えるまでアルカリ水酸化物でｐＨを上げるのが好ましい。その後、この強アルカリ性ケイ酸塩溶液を、糖アルコール（例えば、グリセロール）、尿素、又は両方の混合物を含む溶液で希釈する。澄明な溶液が得られる。次いで、第２のＮ−メチル化オスモライトを加える。この時点で他の任意のオスモライトを加えることができる。好ましくは０．０２Ｍから１．６Ｍの間のケイ素濃度が得られる。この溶液を室温で維持する。この最終調製物をミネラルウオーター、精製水、又は水道水で２０倍以上に希釈すると澄明な溶液がもたらされ、これは、室温で少なくとも２週間安定である。
【０１１８】
特定の一実施形態において、この方法は、（アルカリ）を除いた、１％より高く、好ましくは５％から２０％の間の濃度の植物又は動物起源の可溶性タンパク質又はタンパク質加水分解物を加えるステップを更に含む。タンパク質は、精製水で希釈した後に加える。溶液を蒸発させると、生物学的に利用可能なケイ酸塩を含む粉末を生じる。
【０１１９】
第８の態様において、本発明は作物を保護するための方法に関する。
【０１２０】
特定の一実施形態において、作物を、上記に記載した生物学的に利用可能なケイ酸塩の供給源として溶解したケイ酸塩を含む組成物などの本発明の組成物で処理する。特に、作物を、生物学的に利用可能なケイ酸塩の供給源としての溶解したケイ酸塩と、１つ又は複数の植物保護化合物、殺虫剤、成長調節物質、又は作物の生成に用いられる他の化合物とを含む本発明の組成物で処理することもできる。必要とされる量の本発明の組成物を、作物を育成する農地に供給することによって、作物は保護される。
【実施例】
【０１２１】
例１
ケイ酸カリウム：０．９ＭＳｉ
グリセロール：１０％（ｖ／ｖ）
尿素：２０％（ｗ／ｖ）
トリメチルグリシン：５％（ｗ／ｖ）
水に溶解し１００ｖｏｌ％とする（ｐＨ１３．０）
【０１２２】
例２
ケイ酸カリウム：０．２５ＭＳｉ
グリセロール：２５％（ｖ／ｖ）
尿素：５％
トリメチルグリシン：３％
水に溶解し１００ｖｏｌ％とする（ｐＨ１２．３）
【０１２３】
例３
ケイ酸カリウム：０．５ＭＳｉ
グリセロール：２５％
尿素：２０％
硝酸カリウム：６％
トリメチルグリシン：３％
水に溶解し１００ｖｏｌ％とする（ｐＨ１２．９）
【０１２４】
例４
ケイ酸カリウム：０．５ＭＳｉ
グリセロール：２０％
Ｎ−メチル−グリシン：６％
尿素：２０％
水に溶解し１００ｖｏｌ％とする（ｐＨ１２．８）
【０１２５】
例５
ケイ酸カリウム：０．３ＭＳｉ
グリセロール：２０％
尿素：２０％
ソルビトール：５％
ジメチルグリシン：５％
硝酸カリウム：５％
水に溶解し１００ｖｏｌ％とする（ｐＨ１２．５）
【０１２６】
例６
ケイ酸ナトリウム：０．３ＭＳｉ
グリセロール：１０％
トリメチルグリシン：３％
マンニトール：１０％
水に溶解し１００ｖｏｌ％とする（ｐＨ１２．４）
【０１２７】
例７
ケイ酸ナトリウム：０．５５ＭＳｉ
グリセロール：１５％
トリメチルグリシン：１２％
スクロース：１０％
水に溶解し１００ｖｏｌ％とする（ｐＨ１３．０）
【０１２８】
例８
ケイ酸カリウム：０．５５ＭＳｉ
グリセロール：２０％
ＴＭＡＯ（トリメチル−アミン−Ｎ−オキシド）：６％
トリメチルグリシン：６％
水に溶解し１００ｖｏｌ％とする（ｐＨ１２．８）
【０１２９】
例９
ケイ酸カリウム：０．２５ＭＳｉ
トリメチルグリシン：６％
Ｌ−プロリン：１０％
グリセロール：１０％
水に溶解し１００ｖｏｌ％とする（ｐＨ１２．５）
【０１３０】
例１０
ケイ酸カリウム：０．５ＭＳｉ
トリメチルグリシン：６％
グリセロール：２０％
塩化コリン：２０％
水に溶解し１００ｖｏｌ％とする（ｐＨ１２．９）
【０１３１】
例１１
ケイ酸ナトリウム：０．３Ｍ
グリセロール：２５％
トリメチルグリシン：６％
ソルビトール：８％
水に溶解し１００ｖｏｌ％とする（ｐＨ１２．３）
【０１３２】
例１２
ケイ酸カリウム：０．３ＭＳｉ
グリセロール：１０％
尿素：１０％
トリメチルグリシン：１％
水に溶解し１００ｖｏｌ％とする（ｐＨ１２．９）
【０１３３】
例１３
ケイ酸カリウム：０．３ＭＳｉ
グリセロール１５％
尿素：１０％
ＴＭＡＯ（トリメチル−アミン−Ｎ−オキシド）：１％
ケイ酸リチウム：０．０２％Ｓｉ
水に溶解し１００ｖｏｌ％とする（ｐＨ１２．９）
【０１３４】
例１４
ケイ酸カリウム：０．５３５ＭＳｉ
グリセロール：２０％（ｖ／ｖ）
トリメチルグリシン：５％（ｗ／ｖ）
尿素：１０％（ｗ／ｖ）
水に溶解し１００ｖｏｌ％とする（ｐＨ１２．９）
【０１３５】
例１５
相溶性（compatible）の溶質を含まない組成物を含むケイ酸塩の調製
ケイ酸カリウム（２．１５Ｍ  Ｓｉ、ｐＨ１３）を、精製水（ｐＨ６．４）、水道水（ｐＨ６．６）、ミネラルウオーター（ｐＨ７．０）、温室で用いられるプロセス水（ｐＨ６．５）、植物栄養混合液で１０００倍希釈し、室温で２日間安定化した後、モリブデンブルー法を用いてケイ酸（単量体のケイ酸又はケイ酸塩）の最終濃度を測定した。Ｓｉの標準対照としてＳｉＦ６を用いた。精製水での希釈のみが許容値（モノケイ酸又はモノケイ酸塩の検出が６０％を超える）をもたらした。他の検出値は５０％より低かった。したがって、植物の栄養摂取に用いられた希釈したケイ酸塩は、実際に、可溶化したモノケイ酸塩、重合化したケイ酸塩、及び懸濁液中に沈降したケイ酸塩の混合物であることが明らかである。
【０１３６】
例１６：オスモライトを含まない対照のケイ酸溶液で処理した作物の保水能力
本発明者らは、ケイ酸を含み、オスモライトを含まない対照溶液で処理した植物を注意深く観察し、これにならって試験を展開した。驚くべきことに、本発明者らは、低投与量（１ｍＭ未満）のモノケイ酸（溶液１）で処理した（週２回）植物は、対照の植物よりもはるかに長期間水分を保持する葉を発達させることを検出した。葉を収穫し（摘み取り）、室温又は４０℃で乾燥させた。結果の解釈は直接的で迅速である。ケイ素適用の間、新しく形成された３週齢から６週齢の植物からの葉を収集し（摘み取り）、プラスチック箔上に注意深く分散させた後、野外(open air)で乾燥させた。対照の（ケイ酸処理していない）葉は、ケイ素処理した葉よりもはるかに速く収縮し、乾燥した。
【０１３７】
（対照の）ケイ酸溶液を調製するために、最初に、濃縮ケイ酸ナトリウム溶液（ｐＨ１３．０）を、ｐＨが２．０未満である強酸中で急速に加水分解してケイ酸（０．５３５Ｍ  Ｓｉ）を得た。この濃縮した溶液を直接精製水中に希釈し、安定化のためのオスモライトの非存在下で、重合を阻害するはるかに低い濃度のモノケイ酸及びオリゴマーを含む溶液を得た（溶液１）。同濃度のケイ酸カリウム溶液をプロセス水ｐＨ６．５で希釈して、オスモライトを含まないプロセス水中で希釈されたケイ酸塩として０．７ｍＭ  Ｓｉの濃度にした（溶液２）。
【０１３８】
５週齢の白色セロリ植物を、プロセス水希釈液（溶液２）で、５週間の間週１回処理した（葉面噴霧）。植物３個からの葉をはさみで摘み取り、プラスチック箔上で室温で乾燥させた。１時間を過ぎると、葉は丸まり始めたが、処理した葉はその最初の形状を保っていた。
【０１３９】
１日後、違いは更に際立つものであった。対照（非処理）及び溶液２処理した植物は収縮し、色は青白くなり辺縁の乾燥は目で見ることができた。一方、溶液１（ケイ酸）処理した植物はその最初の形状及び色を依然として保っていた。
【０１４０】
例１７：例１４の組成物で処理した作物の保水能力
例１４の組成物を、ケイ素濃度が０．７ｍＭに到達するまで（７５０倍希釈を意味する）水道水で希釈した。
【０１４１】
対照の調製物４個を作成した：
【表１】
2013530109.tif 000002
【０１４２】
実験は、上記で記載したようにして、セロリ植物で行った。セロリ葉をプラスチック箔上で室温で２日間乾燥させた後、２つの群、即ち、対照１群及び例１４の組成物で処理した群の葉が明らかに優れた保水性を示した。非処理群（対照４）は完全に収縮した葉を示した。対照２及び対照３の調製物での処理は、非処理群（対照４）のものと同様に収縮した葉を示したが、葉の辺縁は乾燥がより少なく、緑色がより保たれていた。対照１群と、例１４の組成物で処理した群との間には明らかな類似性がある。これらの群において、セロリ葉の形態及び形状は実際に影響を受けておらず、これらの色は最も保持されており、依然として柔軟性であった。この実験は、ケイ酸、及び濃縮したアルカリから調製し、特定の適合性の溶質で安定化した希釈ケイ酸塩の葉面処理は、葉に対して同様の生物学的効果を示すことを示している。ケイ酸単独（対照１）ではオスモライトを必要とせず、オスモライト単独（対照２）では同じ効果を誘発することができない。オスモライトの非存在下では（即ち、対照３）植物の保護的性質が観察されなかったため、この実験は、オスモライトのケイ酸塩溶液に対する添加（即ち、例１４の組成物）は、植物に保護的性質を付与するのに不可欠であることも示している。
【０１４３】
これは、オスモライトで安定化した可溶性ケイ酸塩の適用により、より高い水分保持がもたらされ、したがって植物がこの重大な作用を遂行するための特定の構造を生成するように刺激されていることを示唆する。
【０１４４】
例１８：０．３７５％の濃度で希釈した例１の組成物の希釈液を用いた圃場試験
例１の組成物を、野菜の乾物含有量を試験するために適用した。この圃場試験では、０．３７５％の比率で水で希釈した例１の組成物（２６６倍希釈を意味する）を１区画のセロリに１０日間隔で４回葉面噴霧した。収穫時、液汁の収量及び体積を測定した（表１）。固形分の含量は、茎重量と液汁量との間の差として計算する。
【表２】
2013530109.tif 000003
【０１４５】
組成物での処理は茎重量を増大しただけではなく、固形分含量も増大させた。固形分の増大により、切断したばかりのセロリの保存寿命の延長が可能になる（更なる評価により、例１の組成物で処理した切断セロリは、非処理の植物に比べて６日間新鮮さを獲得したことが示されている）。
【０１４６】
例１９
ケイ酸カリウム：０．０３ＭＳｉ
コラーゲン加水分解物：２０％（ｗ／ｖ）
トリメチルグリシン：５％（ｗ／ｖ）
キシリトール：８％（ｗ／ｖ）
を含む組成物の水希釈液。
ｐＨ７．５のこの溶液を、７０℃より低い温度で急速に蒸発させて粉末にする。
【０１４７】
例２０
ケイ酸カリウム：０．０１ＭＳｉ
コリン：０．５％（ｗ／ｖ）
マンニトール：２％（ｗ／ｖ）
プロリン：５％（ｗ／ｖ）
カルニチン：２％（ｗ／ｖ）
ホウ酸：０．１５％（ｗ／ｖ）
クエン酸：０．１％
セレン酸ナトリウム：０．０１％（ｗ／ｖ）
を含む組成物の水希釈液。
ｐＨ６．８のこの溶液を、動物用の飲料水で希釈する。
【０１４８】
例２１
ケイ酸カリウム：１８０ｍＭＳｉ
トリメチルグリシン：０．１％（ｗ／ｖ）
ＴＭＡＯ（トリメチルアミン−Ｎ−オキシド）：０．９％（ｗ／ｖ）
アスパラギン酸：０．５％（ｗ／ｖ）
尿素：０．２％（ｗ／ｖ）
硝酸カリウム：２％（ｗ／ｖ）
殺菌剤
を含む組成物の水希釈液。
ｐＨ６．３のこの溶液を、植物用の肥料及びオスモライト供給源として用いる。
【０１４９】
例２２
例９の組成物１リットルを、セルロース０．５ｋｇ及びグアーゴム０．７５ｋｇの混合物に吸着させる。得られたペーストを、ケイ素及びオスモライトの供給源として用い、動物飼料と混合する。
【０１５０】
例２３：例１２の組成物を用いてジャガイモ夏疫病菌（Ａ．ｓｏｌａｎｉ）感染したジャガイモを処理する圃場試験
この組成物を殺菌剤の比率を低減するために用いた。
【０１５１】
圃場試験の結果を図１に示す：（Ａ）ジラム７６ＷＧを１．５ｋｇ／ｈａで用い、例１２の組成物を用いずに行った圃場試験、（Ｂ）ジラム７６ＷＧを１．５ｋｇ／ｈａで、例１２の組成物を０．３９Ｌ／ｈａで用いて行った圃場試験、（Ｃ）ジラム７６ＷＧを２．５ｋｇ／ｈａで用い、例１２の組成物を用いずに行った圃場試験。
【０１５２】
０．５％の例１２の組成物（２５０倍希釈を意味し、０．３９Ｌ／ｈａに等しい）を、認可された比率の６０％で用いた接触性殺菌剤に添加すると、同レベルの有効性（１．５ｋｇ／ｈａの殺菌剤が２．５ｋｇ／ｈａのものを代替する）を達成することが認められた。圃場試験は、ジャガイモ夏疫病菌に感染したジャガイモに対して行った。５回処理し、噴霧体積は２６０Ｌ／ｈａである。
【０１５３】
例２４：例１２の組成物を用いてエリシフェネカトール（Ｅ．ｎｅｃａｔｏｒ）に感染したブドウを処理する圃場試験
例１２の組成物を、ウドンコ病エリシフェネカトール（Ｅｒｙｓｉｐｈｅ  ｎｅｃａｔｏｒ）に感染したブドウに関する圃場において用いた。７回処理し、噴霧体積は４００Ｌ／ｈａである。
【０１５４】
結果を図２に示す。０．２５％（５００倍希釈を意味し、１Ｌ／ｈａに等しい、）の例１２の組成物を単独で噴霧して、ウドンコ病の感染の重症度が５４％低減された。
【０１５５】
例２５：例１２の組成物を用いて葉枯れ病に感染したジャガイモを処理する圃場試験
例１２の組成物を、葉枯れ病（ジャガイモ疫病菌（Ｐｈｙｔｏｐｈｔｏｒａ  ｉｎｆｅｎｓｔａｎｓ））を制御するためにジャガイモに対して行った圃場試験において用い、３つの異なるタイプの殺菌剤（浸透移行性、接触性、治療用）を単独で、及び０．２５％の比率の（２５０倍希釈を意味する）の例１２の組成物と組み合わせて適用した。
【０１５６】
圃場試験の結果を図３に示す：（Ａ）浸透移行性殺菌剤１（プロパモカルブ７２ＳＬ）を１．０Ｌ／ｈａで用いて行った圃場試験、（Ｂ）接触性殺菌剤２（ジラム７６ＷＧ）を３．０ｋｇ／ｈａで用い、例１２の組成物を０．３９Ｌ／ｈａで用いて行った圃場試験、（Ｃ）接触性殺菌剤３を２．０Ｌ／ｈａで用いて行った圃場試験。
【０１５７】
０．２５％（５００倍希釈を意味し、０．６５Ｌ／ｈａに等しい）の例１２の組成物を噴霧混合物に添加すると、殺菌剤のタイプが何であっても、ウドンコ病に対して６０％から２００％の更なる効能がもたらされた。試験１において、殺真菌剤１は６０％の効力を有し、殺真菌剤１＋例１２の組成物は８０％の効力を有する。したがって、例１２の組成物は試験１において殺真菌剤１の効力を３０％改善し、試験２において殺菌剤２の効力を５０％改善し、試験３において殺真菌剤３の効力を２００％改善する。評価は、噴霧体積２６０Ｌ／ｈａで８回処理後の葉に対して行い、非処理の葉において５０％の葉が感染していた。
【０１５８】
例２６：ジャガイモに対して例１２の組成物を用いた圃場試験
例１２の組成物の５００倍希釈液を、ジャガイモに対して行った圃場試験において用い、例１２の組成物を０．６５Ｌ／ｈａで１１回適用したことによる商業的収量の増大を評価した。例１２の組成物の収量に対する影響を、殺菌剤の３つの異なる噴霧プログラムで評価した。
【０１５９】
結果を図４に示す：（Ａ）浸透移行性殺菌剤１（プロパモカルブ７２ＳＬ）を１Ｌ／ｈａで用いる噴霧プログラム、（Ｂ）接触性殺菌剤２（ジラム７６ＷＧ）を３ｋｇ／ｈａで用いる噴霧プログラム、（Ｃ）接触性殺菌剤３を２Ｌ／ｈａで用いる噴霧プログラム。非処理における商業的収量は２０．０ｈ／ｈａであり、例１２の組成物による収量の増大は２．１％から１６．１％の範囲であった。
【０１６０】
例２７：プラム（ミラベル（Ｍｉｒａｂｅｌｌｅ））に対して例１２の組成物を用いた圃場試験
４００倍希釈の例１２の組成物を、収穫時及び貯蔵の間、生成された果実の品質パラメータに対する本発明の組成物の効果を評価するためにプラム（ミラベル１７２５種（ｖａｒ．  Ｍｉｒａｂｅｌｌｅ１７２５）に対して行った圃場試験において用いた。０．２５％の例１２の組成物を収穫前１週間間隔で４回適用した。酸性度（図５Ａ）、着色（緑色度が低い）（図５Ｂ）、色素沈着（図５Ｃ）、モリニア病によって汚染された果実の％（図５Ｄ）、過熟の果実の％（図５Ｅ）、及び花柄のある果実（図５Ｆ）の評価で、例１２の組成物の影響は、収穫時に顕著であった。果実の品質パラメータは全て、非処理に比べて本発明によって改善された。
【０１６１】
例１２の組成物で処理した木から収穫した果実は、貯蔵病害菌であるモニリア（Ｍｏｎｉｌｉａ）に対してより抵抗性であり、対照に比べて更に６日を超える貯蔵が可能であった（図６）。
【０１６２】
好ましい実施形態、並びに特定の濃度及び希釈、並びにこれらを調製するための方法を、本明細書において本発明による組成物について論じてきたが、形式及び詳細において様々な変更又は修飾を行うことができることを理解されたい。例えば、本発明において、例えば濃縮組成物を記載しているが、本発明はこのような濃縮した組成物のあらゆる可能な希釈液にも関連する。
【図１】
2013530109.tif 000004
【図２】
2013530109.tif 000005
【図３】
2013530109.tif 000006
【図４】
2013530109.tif 000007
【図５】
2013530109.tif 000008
【図６】
2013530109.tif 000009
【国際調査報告】
2013530109.tif 000010
2013530109.tif 000011
2013530109.tif 000012